(57)【要約】      （修正有）【課題】厳寒期に就寝中、肩や首筋の冷えを防止し保温するため、様々な寝具と連結装着可能にした、防寒肩掛け布であって上掛け寝具と共に防寒肩掛け布を肩や首筋にかけることを目的とした防寒肩掛け布を提供する。【解決手段】柔らかく保温性にとみ、肌触りの良い繊維布からなり、２枚１組で左右対称の長方形の台形布１で構成した防寒肩掛け布であって、台形布の下部方向の三分の一を二層布に構成して、一層目と二層目が向かい合ってる面の一層目の内側の底辺付近に沿って並列的に等間隔でクリップを四個設けたことを特徴とする。【選択図】図４
0003189245.tif 000002
【実用新案登録請求の範囲】
【請求項１】
柔らかく保温性に富肌触りの良い繊維布で長方形の台形布で２枚１組を左右対称に構成しその台形布の（図１、２、４、参照）の（符号１Ｂ）に記した部分を二層に構成した防寒肩掛け布であって、その二層に構成した内側（図５、参照）の布に特殊クリップ（図５，６、参照）の（符号５０１〜５０７）を並列に等間隔で（３個〜５個）構成した防寒肩掛け布を提供する。
【請求項２】
この防寒肩掛け布に構成した特殊クリップは（請求項１）の特殊クリップであってこの特殊クリップは長方形の板、二枚（図６，７，８，９，１０、参照）を二層に重て（図６，７，８、参照）、その長方形の板の左右のどちらか一辺に（符号５０５）の軸棒で蝶着して、二枚貝状に構成し蝶着した反対辺が上下に可動可能にして、その下板の中央付近より（符号５０４）の鋼製で鳥居状に構成し、その鳥居が（図６，７，８、参照）二層の上部板より上に突き出るように（突き出た部分が７ミリ〜１２ミリ位が望ましい）上部板に（符号５０３）の開口窓を設け、その開口窓を通し突き出た鳥居と上部板との間（図５，６，７、参照））に（符号５０６）のクサビを差込み鳥居の構造を介して下部板を引き上げ上下板との間に発生する圧縮力を利用して締め付ける特殊クリップを構成した防寒肩掛け布を提供する。
【考案の詳細な説明】
【技術の分野】
【０００１】本考案は、防寒肩掛け布で、厳寒期に就寝中、肩や首筋の冷えを防止し保温するためで、様々な寝具と連結装着可能にし利用できる、防寒肩掛け布であって上掛け寝具と共に防寒肩掛け布を肩や首筋にかけ保温することを目的とした防寒肩掛け布である。
【背景技術】
【０００２】従来の肩を冷やさないように防寒用肩掛け布で身体に巻きつけて使用する製品や、羽織って使用するための肩掛け布が提案されていた（例えば実開  平５−３１６６８号公報）（例えば実開  昭６２−１４１３７９号公報）【０００３】又上掛け寝具と一体の肩掛け布や、上掛け寝具に後付けする為に上掛け寝具に連結用の何らかの加工を付設しなければならない防寒肩掛け布が提案されていた（例えば特許  第３６０４３５３号公報）（例えば  実用  第３０４２３３６号広報）
【先行技術文献】
【特許文献】
【０００４】
【特許文献１】実開  昭６２−１０９６７５号公報
【特許文献２】実開  昭６４−３２６８０号公報
【特許文献３】特許  第３６０４３５３号公報
【特許文献４】登録実用  第３０４２３３６号公報
【特許文献５】実開  平５−３１６６８号公報
【考案の概要】
【考案が解決しようとする課題】
【０００５】今日まで数々の防寒用肩掛け布が提案されています、寝具と一体になった肩掛け布など新たに寝具を新調しなければならないものなどが提案されていた。
（例えば  特許文献３参照）（例えば  特許文献４参照）【０００６】又肩掛け布を就寝寝具に後付けで使用するため寝具に加工を付設しなければならないため寝具に加工傷跡を付けてしまい羽毛布団など傷跡より羽毛が漏れ出す危険がある肩掛け布が提案されていた。（特許文献２参照）（例えば特許文献１参照）【０００７】尚肩掛け布で背中より肩へ襷がけにして体に巻きつけて使用するものが提案されていたが横向きに就寝したり寝がいりなど行う場合い困難で寝苦しさは否定できず、横向きに就寝した場合など、就寝具と体に巻きつけた肩掛け布との間に隙間が生じやすく今まで体温で寝具内に保温されていた暖気が外部に放出され、冷気が入り込む危険のある肩掛け布が提案されていた。
（特許文献４参照）（特許文献５参照）
【課題を解決するための手段】この防寒肩掛け布は柔らかく保温性に優れた繊維布で長方形の台形布で２枚１組で左右対称に構成され、台形布の底辺の１辺付近（図１、２，５を参照、符号５０１〜５０７）のクリップを夫々並列的に複数個（３個〜５個が望ましい）構成した防寒肩掛け布であって、その肩掛け布に構成したクリップを利用して既製の上掛け寝具の肩や首に接する１辺に挟み連結して上掛け寝具と共に、肩や首筋に掛け冷気の侵入を防ぎ保温することを目的とした肩掛け布である、着脱が簡単で様々な寝具に取り付けが可能になり寝具を新調することなく肩や首筋を防寒できる防寒肩掛寝具を提供する。【０００８】この防寒肩掛布は上掛け寝具をクリップで挟んで連結装着して使用するので就寝寝具に加工傷を付けることも無く羽毛布団に利用しても羽毛が漏れ出す心配がない防寒肩掛け布を提供する。【０００９】この防寒肩掛け布はクリップを利用して上掛け寝具と連結装着して上掛け寝具と共に肩や首筋などを覆い掛けて使用する、肩掛け布であるので横向きに寝たり寝がいりを行ったりし、体が多少左右に移動しても肩掛け布と上掛け寝具と連結していて直接体に肩掛け布を巻きつけて使用しないので体の移動が制限されることも無く、肩掛け布と上掛け寝具が連動して多少移動するので肩や首筋との隙間が生じにくく保温が保たれ冷気が入りにくい構造の防寒肩掛け布を提供する。
【考案の効果】
【００１０】この防寒肩掛け布は長方形で台形布の２枚１組で左右対称に構成し（図５、６、７、８、を参照）の（符号５０１〜５０７）の特殊クリップを構成し、そのクリップで上掛け寝具を連結装着させて使用する、特殊なクリップを構成した防寒肩掛け布であ、って着脱が簡単で様々な寝具に連結装着し使用でき防寒は無論着脱後も寝具をいためることも無く使用できるので、経済的である。【００１１】この防寒肩掛け布は特殊なクリップで連結装着して使用するので寝具を傷付けることも無く羽毛布団などに使用しても羽毛がもれだす危険性もない。【００１２】着脱が簡単のため随意な位置に変更装着でるためダブル寝具などに装着し肩掛け布が一部重なるように装着しても防寒は無論使用効果は損なわない防寒肩掛け布である。【００１３】この防寒肩掛け布は２枚１組の台形布で底辺の１辺にクリップが構成された肩掛け布であって、着脱が簡単のためコンパクトになり洗濯が容易であるので、衛生の管理がしやすい防寒肩掛け布を提案する。
【図面の簡単な説明】
【００１４】
【図１】  長方形の台形布で２枚１組の左右対称で構成したその台形布の底辺の１辺付近に（符号５０１〜５０７のクリップ）を構成してそのクリップで上掛け寝具を挟み連結装着した防寒肩掛け布と上掛け寝具の平面図（１部切り取り図も含む）
【図２】  ダブル寝具に肩掛け布を連結装着し一部重なっている平面図
【図３】  模擬人間が肩掛け布を上掛け寝具と連結装着して使用している断面図
【図４】  模擬人間が肩掛け布と上掛け寝具と連結装着して使用している平面図
【図５】  特殊クリップを使い肩掛け布と上掛け寝具を連結装着した断面図
【図６】  特殊クリップの構造を解りやすく表現した断面図
【図７】  特殊クリップの斜視図
【図８】  特殊クリップの平面図
【図９】  特殊クリップの右側面図
【図１０】  特殊クリップの左側面図
【考案を実施するための形態】
【実施例１】
【００１５】この防寒肩掛け布は厳寒期の就寝時に肩や首筋の隙間より冷気が差し込み保温が保てない状態を改善するため、保温性に富み肌触りの良い柔らかな繊維布で、長方形の台形布で２枚１組の左右対称に構成し、その台形布の底辺の１辺に（図１、２、参照  符号５０１〜５０７）の特殊クリップを１辺に３〜５個を並列的に等間隔で構成したその防寒肩掛け布を上掛け寝具の肩や首筋に接する１辺に防寒肩掛け布に構成した特殊クリップで上掛け寝具を挟んで連結装着し（図４）に示したように防寒肩掛け布と上掛寝具と共に肩や首筋にかけ冷気を遮断し保温することを目的とした防寒肩掛け布を提供する。【００１６】尚台形布の底辺に構成したクリップを保護すると共に連結装着した部分の密着度を高め冷気が入りにくくする為（図１、２、３、４、５、）の（符号１、１Ａ、１Ｂ、参照）よう［図５、参照］にクリップと連結した部分を覆いかぶすように肩掛け布の一部を、２層構造に構成した防寒肩掛け布である。
【実施例２】
【００１７】この防寒肩掛け布と上掛寝具を連結装着するために使用する特殊構造のクリップは（図６、７、８、９、１０、参照）で（符号５０１〜５０７）の示すように上部板と下部板との２層から成る、（図６、７、８、９、１０、参照）で示した上下部板の１辺を（符号５０５）の軸棒で蝶着し２枚貝状に構成して反対辺が、上下に可動可能な構造に構成してあって、２層の下部板の中央付近より（符号５０４）の鋼製で鳥居状に構成したその鳥居が２層の上部板より突き抜け出る（突き抜け出る長さは７ミリ〜１２ミリ位が望ましい）ように上部板に（符号５０３）の開口窓を設けその窓を通し突き抜けた鳥居と上部板との間（図５、６、７、参照）に（符号５０６）のクサビを差込み鳥居の構成を介して下部板を引き上げ上下板の圧縮力を利用したクリップであって、そのクリップを構成することにより圧縮力の強弱が調整でき又スプリングを利用した、クリップの金属疲労から発生するへたり現象も解消した、クリップを構成した防寒肩掛け布を提供する。
【符号の説明】
【００１８】１  長方形の台形布で２枚１組に構成した肩掛け布
１Ａ  肩掛け布の一部を２層に構成した２層目の肩掛け布
１Ｂ  肩掛け布を２層にしその２層と１層を逢着し２層に重なった肩掛け布の図
２  上掛寝具
２Ａ  肩掛け布を２層に構成しその１層目と２層目の間に特殊クリップを構成しそのクリップで上掛寝具を挟み連結装着し２層に構成した肩掛け布の内側に入り込んだ上掛寝具の一部
４  敷き布団
５  枕
１０  模擬人間
５０１  上下二枚の板で構成するクリップで上板の部分
５０２  上下二枚の板で構成するクリップの下板の部分
５０３  （図７を参照）下板中央付近より構成した鋼で鳥居状に構成した鳥居が上板の上に突き出るように上板に開口窓を設けたその開口部
５０４  下板の中央部付近より鋼で鳥居状に構成した鳥居
５０５  上下二枚の板を二枚貝状に開閉するように二枚の板の一辺を軸棒で蝶着した軸棒
５０６  くさび
５０７  クリップと肩掛け布を逢着できるようにした箇所
５０１〜５０７  特殊クリップ
【図１】
0003189245.tif 000003
【図２】
0003189245.tif 000004
【図３】
0003189245.tif 000005
【図４】
0003189245.tif 000006
【図５】
0003189245.tif 000007
【図６】
0003189245.tif 000008
【図７】
0003189245.tif 000009
【図８】
0003189245.tif 000010
【図９】
0003189245.tif 000011
【図１０】
0003189245.tif 000012
【手続補正書】
【提出日】平成25年9月27日(2013.9.27)
【手続補正１】
【補正対象書類名】実用新案登録請求の範囲
【補正対象項目名】全文
【補正方法】変更
【補正の内容】
【実用新案登録請求の範囲】
【請求項１】
柔らかく保温性に富、肌触りの良い繊維布で長方形の台形布で、その台形布の上下方向に約三分の一の下部を二層布に構成して２枚１組を左右対称に構成しその二層布に構成した布の一層布目の内側、すなわち一層布目と二層布目が向かい合っている面の一層布目の内側の台形布の底辺付近に沿って並列的に等間隔で特殊クリップを約四個構成した防寒肩掛け布で防寒肩掛け布の一部を二層布にし特殊クリップを構成した防寒肩掛け布。
【請求項２】
この防寒肩掛け布に構成した特殊クリップは請求項１の防寒肩掛け布に構成した特殊クリップであって長方形の板を二層に重ねてその長方形の長方部で左右どちらか一辺を蝶着し二枚貝状に構成し蝶着した対辺が上下に可動可能にしその二層に構成した長方板の下板の中央付近より鋼製でコの字型で鳥居状に構成しそのコの字型の鳥居が二層目の上板より約１０ミリ上部に突き出るように上板部に開口窓を設けその突き出た鳥居と上板の表面の間にクサビを差し込み鳥居の構造を介して下板を引き上げ上下板との間に発生する圧縮力を利用して締め付ける構造の特殊クリップを設けたことを特徴とする特殊クリップを設けた防寒肩掛け布。
【手続補正書】
【提出日】平成25年12月3日(2013.12.3)
【手続補正１】
【補正対象書類名】実用新案登録請求の範囲
【補正対象項目名】全文
【補正方法】変更
【補正の内容】
【実用新案登録請求の範囲】
【請求項１】
柔らかく保温性に富、肌触りの良い繊維布からなり、２枚１組で左右対称の長方形の台形布で構成した防寒肩掛け布であって、前記台形布の下部方向の三分の一を二層布に構成して、一層目と二層目が向かい合ってる面の一層目の内側の底辺付近に沿って並列的に等間隔でクリップを四個設けたことを特徴とする防寒肩掛け布。
【請求項２】
前記クリップは、長方形の上部板と下部板とからなり、前記上部板と前記下部板を二層に重ねて一辺を軸棒で蝶着することで二枚貝状に構成し、前記下部板の中央付近に鋼製でコの字型の鳥居を形成し、前記鳥居が前記上部板より約１０ミリ上部に突き出るように前記上部板に開口窓を設け、その突き出た鳥居と前記上部板の表面の間にクサビを差し込み、前記上部板と前記下部板との間に発生する圧縮力を利用して締め付けることを特徴とする請求項１記載の防寒肩掛け布。